(57)【要約】【課題】            筆記部へ供給されるインク流量を適宜量に調整することで、筆記部から過剰にインクが吐出される現象を低減することができる筆記具を提供する。【解決手段】        弁部５１ａを開動させることで、該弁部５１ａよりも上流側のインクＭを該弁部５１ａよりも下流側のインク通路５３ａへ流通させ、更に該インク通路５３ａ内のインクＭを筆記部７０へ導くようにした筆記具において、前記弁部５１ａよりも下流側の前記インク通路５３ａには、インクＭの流通面積を急縮小する流通面積急縮小部５３ａ２が設けられている。【選択図】          図１
2006088628.tif 000002
【特許請求の範囲】
【請求項１】
弁部を開動させることで、該弁部よりも上流側のインクを該弁部よりも下流側のインク通路へ流通させ、更に該インク通路内のインクを筆記部へ導くようにした筆記具において、
前記弁部よりも下流側の前記インク通路には、インクの流通面積を急縮小する流通面積急縮小部が設けられていることを特徴とする筆記具。
【請求項２】
上記インク通路は、上記流通面積急縮小部の下流側に、インクの流通面積を急拡大する流通面積急拡大部を有することを特徴とする請求項１記載の筆記具。
【請求項３】
上記インク通路におけるインクの流通面積を、下流側へ向かってｄ１、ｄ２、ｄ３の順番で三段階に急変させるとともに、ｄ１＞ｄ３＞ｄ２の関係となるように設定したことを特徴とする請求項１記載の筆記具。
【請求項４】
上記インク通路は、曲がりながら上記筆記部へ向かうように形成されていることを特徴とする請求項１乃至３何れか１項記載の筆記具。
【請求項５】
上記インク通路と上記筆記部との間には、上記インク通路から供給されるインクを毛細管力により上記筆記部へ導くインク保持部材が設けられていることを特徴とする請求項１乃至４何れか１項記載の筆記具。
【請求項６】
上記インク通路の下流側の端縁に、上記インク保持部材内へ突出する突縁部を設けたことを特徴とする請求項５記載の筆記具。
【発明の詳細な説明】
【技術分野】
【０００１】
本発明は、弁部よりも上流側のインクを、弁部を開動させて、弁部よりも下流側の筆記部へ導くようにした筆記具、特に、サインペンや、マーカーペン、フェルトペン等として好適な筆記具に関するものである。
【背景技術】
【０００２】
従来、この種の発明には、特許文献１に記載されたもののように、軸筒（フェルトペン１）の外周面に対する押圧操作により、弁部（弁６）を開動させ、該弁部よりも上流側に配置されたインクタンク（インキ室１２）内のインクを、該弁部よりも下流側のインク通路（細径部４ｂ）へ流通させ、更に筆記部（ペン芯１１）へ導くようにしたものがある。
【０００３】
しかしながら、上記従来技術によれば、温度影響や、不意の衝撃（例えば落下衝撃等）を受けた場合、あるいは弁部を開放させるための操作が過剰に行われた場合等には、弁部よりも下流側のインク通路が略ストレート状であることや、同インク通路内にインクの流通を抑制する構造等がないこと等に起因して、前記インク通路から吐出されるインクの流量が急増する。
そして、この場合、インク通路から吐出されたインクが、筆記部の後端側へ比較的多量に供給されることになり、その結果、筆記部の先端側から過剰にインクが吐出される現象（ダレやボテ等）を生じるおそれがあった。
【特許文献１】実公昭５２−７２２６号公報
【発明の開示】
【発明が解決しようとする課題】
【０００４】
本発明は上記従来事情に鑑みてなされたものであり、その課題とする処は、筆記部へ供給されるインク流量を適宜量に調整することで、筆記部から過剰にインクが吐出される現象を低減することができる筆記具を提供することにある。
【課題を解決するための手段】
【０００５】
上記課題を解決するために第一の発明は、弁部を開動させることで、該弁部よりも上流側のインクを該弁部よりも下流側のインク通路へ流通させ、更に該インク通路内のインクを筆記部へ導くようにした筆記具において、前記弁部よりも下流側の前記インク通路には、インクの流通面積を急縮小する流通面積急縮小部が設けられていることを特徴とする。
【０００６】
ここで、上記「急縮小」には、インクの流通面積を流通方向における所定のポイントで縮小させる構成や、インクの流通面積を流通方向における所定範囲にわたって漸次縮小させる構成（例えばノズル状の構成）等を含むが、特に前者の構成とした方が好ましい。後者の態様とする場合には、その縮小率が大きい方が好ましく、この縮小率は、上記筆記部からのダレやボテを効果的に防止する程度に、適宜に設定すればよい。
【０００７】
更に、第二の発明では、上記インク通路は、上記流通面積急縮小部の下流側に、インクの流通面積を急拡大する流通面積急拡大部を有することを特徴とする。
【０００８】
ここで、上記「急拡大」には、インクの流通面積を流通方向における所定のポイントで拡大させる構成や、インクの流通面積を流通方向における所定範囲にわたって漸次拡大させる構成（例えばラッパ状の構成）等を含むが、特に前者の構成とした方が好ましい。後者の態様とする場合には、その拡大率が大きい方が好ましく、この拡大率は、上記筆記部からのダレやボテを効果的に防止する程度に、適宜に設定すればよい。
【０００９】
更に、第三の発明では、上記インク通路におけるインクの流通面積を、下流側へ向かってｄ１、ｄ２、ｄ３の順番で三段階に急変させるとともに、ｄ１＞ｄ３＞ｄ２の関係となるように設定したことを特徴とする。
【００１０】
更に、第四の発明は、上記インク通路は、曲がりながら上記筆記部へ向かうように形成されていることを特徴とする。
【００１１】
更に、第五の発明は、上記インク通路と上記筆記部との間には、上記インク通路から供給されるインクを毛細管力により上記筆記部へ導くインク保持部材が設けられていることを特徴とする。
【００１２】
更に、第六の発明は、上記インク通路の下流側の端縁に、上記インク保持部材内へ突出する突縁部を設けたことを特徴とする。
【発明の効果】
【００１３】
本発明は、以上説明したように構成されているので、以下に記載されるような作用効果を奏する。
第一の発明によれば、開弁時にインク通路内に流通されるインクは、流通面積急縮小部を通過する際の損失によって流量が減少する。そして、その場合の損失ヘッドは、インク流速が速いほど大きく、またインク流速が遅いほど小さい。
したがって、例えば、温度影響や、不意の衝撃、弁部を開放させるための過剰な操作等により、インク通路内を流通するインクの流速が急増した場合であっても、その流速の増加に応じて流通面積急縮小部による損失ヘッドも増加するため、流通面積急縮小部を通過した後のインクの流量は適宜量に維持される。
また、前記のようなインク流速の急増がない通常状態においては、流通面積急縮小部での損失ヘッドが比較的小さい。そのため、流通面積急縮小部を通過した後のインクの流量は、少なくなりすぎることなく、適宜量に維持される。
よって、筆記部へ供給されるインク流量を、流通面積急縮小部により適宜量に調整することができ、ひいては、筆記部から過剰にインクが吐出される現象（ダレやボテ等）を低減することができる。
【００１４】
更に、第二の発明によれば、インク通路を流通するインクは、流通面積急縮小部を通過する際、流通面積の縮小により加速される。そして、その後、流通面積急拡大部を通過する際には、減速されるとともに、その通過の際の損失ヘッドも増加する。
その結果、インク通路を通過した後のインクは、適宜な流量及び流速にて筆記部へ供給されることになり、ひいては、筆記部から過剰にインクが吐出される現象を、より効果的に低減することができる。
【００１５】
また、第三の発明によれば、インク通路における入口側の面積ｄ１よりも出口側の面積ｄ３を小さくすることで、インク通路から吐出されるインク量を適宜に抑制することができ、ひいては、筆記部から過剰にインクが吐出される現象を、更に効果的に低減することができる。
【００１６】
その上、第四の発明によれば、インク通路が曲がりながら筆記部へ向かっているため、その曲がり部分での流通損失により、インク流量を抑制することができる。
したがって、筆記部から過剰にインクが吐出される現象を、一層効果的に低減することができる。
【００１７】
しかも、第五の発明によれば、インク通路からインク保持部材へ供給されるインクの流量は、上記流通面積急縮小部や、流通面積急拡大部、曲がり部分等、損失ヘッドを増加させる構成によって、適宜量に抑制されている。そのため、通常の使用状態では、インク通路からインク保持部材に吸収されるインクの量と、インク保持部材から筆記部へ供給されるインクの量とのバランスが良好である。
すなわち、通常の使用状態でインク保持部材に吸収され貯溜されるインクの量は、該インク保持部材の限界貯溜量に対し余裕がある。したがって、仮に温度上昇や衝撃等の悪影響により、インク通路からインク保持部材へ吐出されるインクの量が急増したとしても、その急増したインクは、インク保持部材内で拡散されるため、筆記部へ過剰に供給されることがない。
よって、上記流通面積急縮小部や、流通面積急拡大部、曲がり部分等、インク通路内の損失ヘッドを増加させる構成との相乗効果により、筆記部から過剰にインクが吐出される現象を、より確実に低減することができる。
【００１８】
更に、第六の発明によれば、弁部の開放時に筆記部側から流入する空気は、インク保持部材を通って、インク通路内における流通面積急縮小部の下流側へ侵入する。その際のインクの侵入量は、堤状に配置された突縁部によって抑制される。
したがって、過剰な空気が、インク通路内における流通面積急縮小部の下流側へ侵入し、更に弁部の上流側のインクタンク内へ侵入することで、インクの吐出量が急増するのを防ぐことができる。
ひいては、インクの吐出量と空気の流入量との適当なバランスを維持し、良好な空気交換作用を得ることができ、インクの吐出量を安定化させて、筆記部から過剰にインクが吐出される現象を一層低減することができる。
【発明を実施するための最良の形態】
【００１９】
以下、本発明の実施の形態を図面に基づいて説明する。
この筆記具Ａは、軸筒１０、尾栓２０、先口３０、キャップ４０等からなる外観形状を呈し、その内部に、インクタンク１０ａ、弁機構５０、インク保持部材６０、筆記部７０等を備えている。
そして、この筆記具Ａは、外部からの軸筒１０に対する操作により、前記弁機構５０の弁部５１ａが開動した際に、該弁部５１ａよりも上流側のインクＭを、該弁部よりも下流側のインク通路５３ａへ流通させ、更に筆記部７０へ導く。
【００２０】
軸筒１０は、合成樹脂材料等から略筒状に形成され、その周壁の前部側に、エラストマー樹脂等の弾性合成樹脂材料からなる操作部１１を一体成型している。
操作部１１は、当該筆記具Ａが筆記姿勢にて把持された状態で、人差し指によって操作される位置に配置され、外部から押圧されることで軸筒１０内へ突出するように、軸筒１０の周壁を部分的に構成している。
【００２１】
そして、前記軸筒１０の後端開口部は尾栓２０により閉鎖され、前端開口部には先口３０が装着されている。
尾栓２０は、軸筒１０の後端開口部を閉鎖することで、軸筒１０内の後半部側に、インクＭを貯溜するための空間であるインクタンク１０ａを構成している。なお、この尾栓２０は、軸筒１０と一体に成型された部位とすることも可能である。
【００２２】
インクタンク１０ａは、軸筒１０の前半部側に配置される弁機構５０の弁部５１ａよりも上流側の閉鎖された空間であり、インクＭを備蓄している。
インクＭは、本実施の形態の一例によれば、油性の顔料インクを用いているが、水性の顔料インクや、油性又は水性の染料インク、その他のインク等とすることも可能である。
【００２３】
また、先口３０は、先細状の外観形状を呈し、軸筒１０の前端開口部に装着されている。
この先口３０の内部には、その後端側に弁機構５０が嵌合され、該弁機構５０よりも前方側にインク保持部材６０が支持され、更にインク保持部材６０よりも前方側に筆記部７０が支持されている。
この先口３０の前端側壁部には、筆記部７０の周囲に略放射状に配置されるように、複数のインク溜溝３１が形成されている。
このインク溜溝３１は、温度上昇や不意の衝撃等によって、インク保持部材６０内や筆記部７０内のインクＭが過剰な量となった場合等に、その余分なインクＭを毛細管力により吸収し一時的に保持する。そして、インク溜溝３１にインクＭが保持された場合、その保持されたインクＭは、筆記により筆記部７０内のインクＭが減少するのに従って、徐々に筆記部７０へ吸収されていく。
【００２４】
また、前記構成の筆記部７０の前端側には、キャップ４０が着脱可能に装着されている。
キャップ４０は、筆記部７０を覆い保護するようにして軸筒１０に嵌合され、その外周面に、軸筒１０の外周面よりも遠心方向へ突出し、且つ軸方向へわたるように、羽状部４１を複数形成している。
隣合う羽状部４１，４１の間隔は、当該筆記具Ａの使用者の指が挿入される程度に設定され、図示例によれば、周方向における所定間隔置きに４つ配設される。
そして、キャップ４０の周壁となる部位であって、隣り合う羽状部４１，４１の間となる部位には、当該筆記具Ａの使用者の指が掛けられ易いように、凹部４２が形成されている。
したがって、キャップ４０を軸筒１０から外す場合、複数の羽状部４１に指を掛けて外したり、複数の羽状部４１に指を掛けてキャップ４０を回しながら外したり、あるいは、羽状部４１，４１間の前記凹部４２に指を掛けて外したり等、何れの方法であっても、キャップ４０を容易に外すことができる。
【００２５】
また、キャップ４０の内部には、筆記部７０の先端側を覆う内筒部４３と、該内筒部４３よりも後方側に放射状に配置された複数の案内条４４とを備えている。
【００２６】
内筒部４３は、その前端部を閉鎖した略有底筒状を呈し、その内周面の後端側を、先口３０前端側の外周面に嵌合密接させることで、万が一、筆記部７０から過剰にインクＭが吐出された場合でも、そのインクＭがキャップ外へ流出するのを防いでいる。
【００２７】
また、この内筒部４３の前端部外面は、図１に示す一例によれば、羽状部４１の前端面よりも前方へ突出させるようにしている。この構成によれば、キャップ４０を装着した状態の筆記具Ａが、キャップ４０を下向きにして、机上等に直立されることを防ぐことができ、ひいては、インクＭ内の比重の重い成分（例えば顔料等）が、インクタンク１０ａ内で弁機構５０側へ沈降し、弁機構５０の後端部に溜まるのを防ぐことができる。
【００２８】
なお、インクＭとして染料インクを用いた場合には、内筒部４３の前端外面を、羽状部４１の前端面よりも後方へ没入させ、羽状部４１の前端面が当該筆記具Ａの最前端部となるようにしてもよい。この構成にした場合には、キャップ４０を装着した状態の筆記具Ａを、キャップ４０を下向きにして、机上等に直立させることが可能となる。
【００２９】
また、キャップ４０内の各案内条４４は、その後端部に、筆記部７０を前記内筒部４３へ案内するための傾斜面４４ａを形成している。そして、この案内条４４は、筆記部７０の周囲に対応するように、放射状に複数配置されることで、隣り合う案内条４４，４４間に、貯溜溝４５を形成している。
【００３０】
各貯溜溝４５は、その前端側を内筒部４３の周囲へ入り込ませるようにして略袋状に形成されている。
この貯溜溝４５によれば、意図しない強い衝撃や温度上昇を受けた場合等、悪条件が重なった万が一の場合に、仮に過剰に吐出されたインクＭが先口３０と内筒部４３との間から洩れたとしても、そのインクＭを毛細管作用等により貯溜し、インクＭがキャップ４０外へ流出するのを防ぐことができる。
【００３１】
また、弁機構５０は、軸筒１０内の前部側に、軸方向へスライド可能なスライド弁部材５１と、該スライド弁部材５１をスライド可能に支持する支持部材５２と、スライド弁部材５１により開閉される弁座部材５３とを具備してなる。
【００３２】
スライド弁部材５１は、その前端側の弁部５１ａと、後端側のスライド軸部５１ｂと、これらの間の被係合凸部５１ｃとを備えた一体状に構成されている。
弁部５１ａは、その前部側の円筒状部分を弁座部材５３内に挿入させて、その後端側外周面の傾斜面を、インク通路５３ａ入口の弁座部５３ｂに当接させている。
また、スライド軸部５１ｂは、軸方向へ案内されるように支持部材５２に支持される。そして、このスライド軸部５１ｂの外周には、スライド弁部材５１を前方へ付勢するように、圧縮スプリング等の付勢部材５１ｄが配設されている。
また、被係合凸部５１ｃは、軸筒１０の操作部１１側へ突出して、後述する支持部材５２の操作片５２ａに係合されるように配設されている。
【００３３】
支持部材５２は、軸筒１０外周面の操作部１１に対応して、操作片５２ａを配置するとともに、後端側の案内孔５２ｂに、スライド軸部５１ｂを挿入させた状態で、軸筒１０の内周面に嵌合されている。
操作部１１は、前端側を弾性的に揺動させるように略片持梁状に形成され、その揺動端側には、軸筒求心方向へ突出する山形部５２ａ１を有する。
この山形部５２ａ１は、その後方側（図１における上側）の傾斜面を、スライド弁部材５１の被係合凸部５１ｃに摺接させることで、スライド弁部材５１を後方へスライドさせる。
また、案内孔５２ｂは、軸筒軸方向の貫通孔であり、挿入されたスライド弁部材５１後端側のスライド軸部５１ｂを軸筒軸方向へ導く。
【００３４】
また、弁座部材５３は、先口３０内から軸筒１０内にわたる内周面に支持された略円筒状の部材であり、その内部に、クランク状に曲がるインク通路５３ａを有し、該インク通路５３ａ入口の縁部分を、弁部５１ａにより当接される弁座部５３ｂとしている。
インク通路５３ａは、二つの円筒状の空間を、その軸心をずらした状態で軸方向に重ね合わせた形状を呈し、上流側に位置する大径部５３ａ１と、軸方向の中間に位置する流通面積急縮小部５３ａ２と、該流通面積急縮小部５３ａ２よりも下流側に位置する流通面積急拡大部５３ａ３とからなる（図４参照）。
【００３５】
大径部５３ａ１は、インク通路５３ａの入口側（弁座部５３ｂ側）に位置し、その下流側の流通面積急縮小部５３ａ２や流通面積急拡大部５３ａ３よりも流通面積が広く設定された略円筒状の空間である。
また、流通面積急縮小部５３ａ２は、後述する流通面積急拡大部５３ａ３による略円筒状の空間と交差した部分であり、大径部５３ａ１に対し急激に流通面積が縮小されるように構成されている。
また、流通面積急拡大部５３ａ３は、流通面積急縮小部５３ａ２よりも流通面積が広く、且つ大径部５３ａ１よりも流通面積の小さい略円筒状の空間である。
すなわち、インク通路５３ａにおけるインクの流通面積は、下流側へ向かってｄ１、ｄ２、ｄ３の順番で三段階に急変するとともに、ｄ１＞ｄ３＞ｄ２で示す数式の関係となるように設定されている。
そして、この流通面積急拡大部５３ａ３の最下流側の端縁には、後述するインク保持部材６０内へ突出するように、略円筒状の突縁部５３ｃが形成されている。
【００３６】
インク保持部材６０は、本実施の形態の好ましい一例によれば、多数の微細な合成繊維を略円筒状に束ねたものであり、当業者間で中綿と呼称される場合もある。
なお、このインク保持部材６０は、前記インク通路５３ａから供給されるインクを、一時的に貯溜し保持しながら、毛細管力により徐々に筆記部７０へ導く構成であればよく、例えば、多数の微細な空間の毛細管力によりインクを筆記部７０へ導くようにした発泡体等とすることも可能である。
【００３７】
筆記部７０は、合成繊維やその他の繊維を略軸状に束ねてなる所謂フェルトペンであり、その後端側をインク保持部材６０内へ挿入させるとともに、前端側を先口３０から露出させた状態で保持されている。
【００３８】
次に、上記構成の筆記具Ａについて、その作用効果を詳細に説明する。
使用者の指等により軸筒１０外周の操作部１１が押圧されると、該操作部１１は、弾性的に変形して軸筒１０内の操作片５２ａを軸筒求心方向へ揺動させる。
すると、操作片５２ａ前端側の山形部５２ａ１の傾斜面が、スライド弁部材５１の被係合凸部５１ｃを軸筒求心方向へ押圧し、スライド弁部材５１が後方へスライドする（図２（ａ）（ｂ）参照）。
【００３９】
このスライド弁部材５１の後方へのスライドに伴って、スライド弁部材５１の弁部５１ａと、弁座部材５３の弁座部５３ｂとの間に隙間が形成されるため、その隙間からインク通路５３ａ内へ、インクタンク１０ａ側のインクＭが流入する。
そして、操作部１１への押圧力が開放されると、スライド弁部材５１が付勢部材５１ｄの付勢力によって前方へスライドし、弁部５１ａ前部側の円筒状部分が、インク通路５３ａ内のインクＭを加圧する。
【００４０】
加圧されたインク通路５３ａ内のインクＭは、大径部５３ａ１、流通面積急縮小部５３ａ２、及び流通面積急拡大部５３ａ３を順次に通過する（図４参照）。
この通過の際、インクＭは、大径部５３ａ１、流通面積急縮小部５３ａ２、及び流通面積急拡大部５３ａ３による流通面積の変化や、流通方向の変化の影響により流通損失を生じる。
【００４１】
より詳細に説明すれば、インクＭの損失ヘッドは、インクＭが大径部５３ａ１から流通面積急縮小部５３ａ２に流入される際、その流通面積の急縮小により増加する。更に、同損失ヘッドは、インクＭがインク通路５３ａから流通面積急拡大部５３ａ３に流入される際にも、その流通面積の急拡大により増加する。なお、前記のような損失ヘッドの増加は、流体力学的に、流速が速いほど大きく、流速が遅いほど小さい。
また、インク通路５３ａは略クランク状に曲がった経路であるため、この影響によっても、インクＭの損失ヘッドは増加する。
また、インクＭの流速は、インクＭが大径部５３ａ１から流通面積急縮小部５３ａ２に流入される際に、その流通面積の縮小により増加し、更に、インクＭがインク通路５３ａから流通面積急拡大部５３ａ３に流入される際には、その流通面積の拡大により減速する。
【００４２】
したがって、例えば、インクタンク１０ａ側の温度上昇や、不意の衝撃、弁部５１ａを開放させるための過剰な操作等によって、インク通路５３ａ内に流入されるインクＭの流速が急上昇したとしても、インク通路５３ａから吐出されるインクＭは、上記損失ヘッドの増加等の影響により、適宜な流量及び流速に調整される。
また、インクＭの流速の急増がない通常状態においては、上記損失ヘッドが比較的小さいため、インク通路５３ａから吐出されるインクＭは、適宜な流量及び流速に維持される。
【００４３】
そして、インクＭは、インク通路５３ａを通過した後、インク保持部材６０内に浸入し、インク保持部材６０の毛細管力により筆記部７０へ導かれる。
この際、インクＭは、上記インク通路５３ａの構成により適宜な流量及び流速でインク保持部材６０に供給される。
そのため、インクＭは、インク保持部材６０の限界貯溜量一杯となるまで該インク保持部材６０内に充満することなく、換言すれば、インク保持部材６０の限界貯溜量に対し余裕のある状態で、インク保持部材６０内に吸収されて、図２（ｂ）に破線矢印で示すように、インク保持部材６０の軸心近傍を通過して筆記部７０へ導かれる。
【００４４】
すなわち、仮に、上記インク通路５３ａをストレート状に構成した場合、インク通路５３ａから吐出されるインクＭの流量及び流速が大きすぎるため、インク保持部材６０内のインク量が該インク保持部材６０の限界貯溜量を超え、インクＭは、インク保持部材６０から溢れるようにして、過剰に筆記部７０へ供給されてしまう。
しかしながら、本実施の形態の筆記具Ａによれば、インク保持部材６０の限界貯溜量に対し余裕をもって、インクＭがインク保持部材６０内を通過するため、インク通路５３ａから吐出されてインク保持部材６０に吸収されるインクＭの量と、インク保持部材６０から吐出されて筆記部７０へ供給されるインクＭの量とのバランスが良好である。
そのため、筆記部７０に対し過剰にインクＭが供給され、筆記部７０の先端側から過剰なインクＭが吐出される現象（ダレやボテ等）を低減することができる。
【００４５】
また、弁部５１ａの開弁時には、上述したように筆記部７０からインクＭが吐出されるのと略同時に、外部から筆記部７０内へ空気が取り込まれる。その空気は、インク保持部材６０及びインク通路５３ａを逆流して、弁部５１ａよりも上流側へ流入する（この作用を当業者間で空気交換作用と呼称する場合がある。）。
この空気交換作用の過程において、インク保持部材６０内からインク通路５３ａ内に流入する空気は、その進行を堤状の突縁部５３ｃにより抑制されることで、適宜流量に調整される。
【００４６】
すなわち、仮に、突縁部５３ｃを省いた場合には、インク保持部材６０内からインク通路５３ａ内へ流入する空気の量が過剰になり、更には弁部５１ａよりも上流側への空気の流入量も過剰になる。そのため、その空気流入量の増加に伴う空気交換作用によって、インクタンク１０ａ側からインク通路５３ａ内へ流入するインクＭの量も多くなり、そのことに起因して、筆記部７０からのダレやボテを生じ易くなる。
しかしながら、本実施の形態の筆記具Ａによれば、突縁部５３ｃにより前記のような過剰な空気の流入を抑制できるため、このことによっても、筆記部７０からのダレやボテを防ぐことができる。
【００４７】
なお、上記実施の形態の流通面積急縮小部５３ａ２は、特に効果的に損失ヘッドが得られるように流通面積を流通方向における所定のポイントで縮小するようにしたが、流通面積を略ノズル状に漸次縮小させた構成とすることも可能である。
更に、流通面積急縮小部５３ａ２は、インクＭの流通面積を複数段階的に縮小させる構成としてもよい。
同様にして、流通面積急拡大部５３ａ３も、特に効果的に損失ヘッドが得られるように流通面積を流通方向における所定のポイントで縮小するようにしたが、流通面積を略ラッパ状に漸次拡大させたり、複数段階的に拡大させたりした構成とすることも可能である。
【００４８】
また、上記実施の形態によれば、特に好ましい態様として、インク通路５３ａを略クランク状に曲がる流通路としたが、他の態様としては、インク通路５３ａを略Ｓ字状や他の形状に曲がる流通路とすることも可能である。
【００４９】
また、上記実施の形態によれば、上述したように、万が一、筆記部７０から流出した場合のインクＭをキャップ４０により貯留するようにしているが、この作用効果を、下記に示す態様のキャップ４０’により、一層効果的に向上させることも可能である。なお、このキャップ４０’において、上述したキャップ４０と略同様の構成箇所については、同一の符号を付けることで、重複する詳細な説明を省略する。
【００５０】
このキャップ４０’は、内筒部４３内における筆記部７０よりも前方側（図６における下側）に、軸心に対して放射状に配置される複数の第一貯溜溝４３ａを備える（図７参照）。
【００５１】
更に、このキャップ４０’は、上述した複数の貯溜溝４５の横断面形状を変更することで、複数の第二貯溜溝４５’を形成している（図８参照）。
各第二貯溜溝４５’は、その毛細管力を向上するために、溝幅が軸方向及び径方向へわたって略一定となるように形成される。
【００５２】
上記構成のキャップ４０’によれば、先口３０に装着された状態において、筆記部７０からインクＭが過剰に流出した場合であっても、そのインクＭを、複数の第一貯溜溝４３ａにより貯溜することができる。
更に、過剰なインクＭが、仮に先口３０と内筒部４３との間から洩れたとしても、そのインクＭを、複数の第二貯溜溝４５’の毛細管作用によって効果的に貯溜することができ、ひいては、インクＭがキャップ４０外へ流出するのを、より確実に防ぐことができる。
【図面の簡単な説明】
【００５３】
【図１】本発明に係わる筆記具の一例を示す縦断面図。
【図２】同筆記具の要部断面図であり、（ａ）は弁部を閉鎖した状態を示し、（ｂ）は弁部を開放させた状態を示す。
【図３】同筆記具における弁座部材の上面図。
【図４】インク通路内の構造を拡大して示す模式図。
【図５】同筆記具におけるキャップの一例を示す斜視図。
【図６】キャップの他例を示す縦断面図。
【図７】図６に示すキャップの(VII)-(VII)線断面図。
【図８】図６に示すキャップの(VIII)-(VIII)線断面図。
【符号の説明】
【００５４】
１０：軸筒
４０：キャップ
４１：羽状部
５１ａ：弁部
５３ａ：インク通路
５３ａ２：流通面積急縮小部
５３ａ３：流通面積急拡大部
５３ｃ：突縁部
６０：インク保持部材
７０：筆記部
Ａ：筆記具
Ｍ：インク
【図１】
2006088628.tif 000003
【図２】
2006088628.tif 000004
【図３】
2006088628.tif 000005
【図４】
2006088628.tif 000006
【図５】
2006088628.tif 000007
【図６】
2006088628.tif 000008
【図７】
2006088628.tif 000009
【図８】
2006088628.tif 000010